(57)【要約】      （修正有）【課題】縫い付け作業といった煩わしい手間を掛けずに、簡単にマスクを作ることが出来る小型の補助具を提供する。【解決手段】第１挟持部１０を構成する第１止具片１及び第２止具片２を互いに接続する第１ヒンジ部５と、第２挟持部２０を構成する第１止具片１及び第３止具片３を互いに接続する第２ヒンジ部６と、第１挟持部への被挟持物の挿入を可能とする挿入口部７とを、第１止具片における同一の端縁部１ａ側に設けることにより係止ストッパー５０とする。この第１挟持部は紐状部材を挟持し、第２挟持部は平面状部材を挟持する。また、第２止具片は、外側領域部がなく内側領域部を有するように形成され、第３止具片は、内側領域部がなく外側領域部を有するように形成されており、両者は、同一平面上において隙間を介して位置することが可能である。【選択図】図１
2011083409.tif 000002
【特許請求の範囲】
【請求項１】
第１ヒンジ部を介して互いに接続された第１止具片及び第２止具片によって形成される、被挟持物として紐状部材を挟持する第１挟持部と、
第２ヒンジ部を介して互いに接続された前記第１止具片及び第３止具片によって形成される、被挟持物として平面状部材を挟持する第２挟持部と、
からなる２つの挟持部を備え、
前記第１止具片における同一の端縁部側に、前記第１ヒンジ部と前記第２ヒンジ部、及び前記第１挟持部への被挟持物の挿入を可能とする挿入口部、を設けたことを特徴とする係止ストッパー。
【請求項２】
前記第２止具片は、前記第１ヒンジ部を境として前記第１止具片と対比したとき外側領域相当部がなく内側領域部を有するように形成され、
前記第３止具片は、前記第２ヒンジ部を境として前記第１止具片と対比したとき内側領域相当部がなく外側領域部を有するように形成され、
前記第２止具片と前記第３止具片は、同一平面上において隙間を介して位置することが可能であることを特徴とする請求項１に記載の係止ストッパー。
【請求項３】
前記第１止具片及び前記第３止具片は、互いに係合して固定されることで前記第２挟持部での係止状態を維持することが出来る係止部及び被係止部の係合解除を行う操作片をそれぞれ備え、
前記操作片は、前記第２ヒンジ部の曲折によって前記第１止具片と前記第３止具片とが合わさる前記係止状態において、互いに重なり合うことのない位置に隣接して設けられていることを特徴とする請求項１又は２に記載の係止ストッパー。
【請求項４】
前記第１止具片と、前記第２止具片と、前記第３止具片は、合成樹脂により一体成形されていることを特徴とする請求項１乃至３の何れか１項に記載の係止ストッパー。
【請求項５】
前記請求項１乃至４の何れか１項に記載の係止ストッパーが二つと、紐体とから構成され、
一方の係止ストッパーは、その挿入口部より挿入された前記紐体の一端側の抜止めを、前記第１ヒンジ部の曲折による前記第１止具片と前記第２止具片とを合わせた前記第１挟持部の挟持によって施し、
他方の係止ストッパーは、その挿入口部より挿入された前記紐体の他端側の抜止めを、前記第１ヒンジ部の曲折による前記第１止具片と前記第２止具片とを合わせた前記第１挟持部の挟持によって施し、
前記紐体の一端側と他端側とに前記係止ストッパーをそれぞれ取り付け一体としたことを特徴とする耳かけホルダー。
【発明の詳細な説明】
【技術分野】
【０００１】
本発明は、ティッシュペーバーやガーゼ（布）、不織布といった呼吸に支障のない平面状部材を用いて衛生用マスクを簡易的に作製する際に利用する係止ストッパーと、この係止ストッパーを用いた耳かけホルダーに係り、詳しくは、口や鼻を覆うこととなる平面状部材に対して取り付けられる係止ストッパーと、この係止ストッパーと紐部材とを用いて、平面状部材による口や鼻の覆い状態を維持することを可能とした耳かけホルダーに関する。
【背景技術】
【０００２】
風邪ウイルスやインフルエンザウイルスは、ウイルス単体での空気感染では感染せず、唾などの体液に含まれたウイルスによる飛沫感染によって感染が広がることが知られている。そのため、風邪やインフルエンザに感染している患者は、他人に伝染させないため、及び感染拡大を防ぐために、衛生用マスクを着用する。この衛生用マスクは、風邪やインフルエンザの感染者のくしゃみや咳などで、ウイルスを含んだ分泌物を外部に広く撒き散らしにくくする効果を有する。一方、風邪やインフルエンザに感染していない者は、衛生マスクを着用する事により、外部から風邪ウイルスやインフルエンザウイルスの進入、感染を効果的に阻止できる。
【０００３】
ところが、近年、新型インフルエンザの流行によって衛生用マスクの需要が増大し、衛生用マスクの品薄状態が続いてなかなか入手することが出来ない、入手可能であってもかなり高価で取引されているといった問題がある。そのため、最近では、ガーゼや不織布に耳かけ紐を縫製手段等によって取り付けて自分で簡易的にマスクを作ることで、風邪やインフルエンザの感染拡大防止や、感染予防を図ることが行われている。
【０００４】
しかしながら、手作りマスクといっても長期間使用し続けることには衛生上の問題があり、一般的にマスクの交換は一日毎とされていることから、毎日にマスクを作らなければならないといった煩わしさがある。しかも、ガーゼや不織布等に耳かけ紐を取り付ける場合、両者を縫い付けることによって行っていることから、その作業は非常に煩わしいものである。
【０００５】
一方、縫い付け作業を伴わずに、二つの部材同士を互いに連結することが出来るようにした部材として、中央部に位置決め嵌着部を形成した止め具本体と、この止め具本体の嵌着部に嵌着される嵌着突部を有し、この嵌着突部の両側に設けたヒンジを介して挟持片が形成された蓋体とからなる構造の止め具が提案されている（たとえば、特許文献１参照）。
【０００６】
しかしながら、特許文献１に記載の止め具は、平面状部材に対しては取り付けることが可能と思われるものの、紐状部材の抜け止めを可能としたものではなく、形状の異なる二つの部材同士を互いに連結することが出来るようにしたものでない。
【０００７】
また、簡易マスクに用いる部材においては、出来るだけ目立たないように、かつ、頬に触れて違和感が少ないように、出来るだけ小型化されることが望まれるが、上記特許文献１に記載の止め具では、平面状部材に対する取り付け領域と、紐状部材に対する取り付け領域とが、平面的に並んで設けられていることから小型化を図ることが出来ない。
したがって、縫い付け作業といった煩わしい手間を掛けずに、簡単にマスクを作ることが出来る小型の補助具の提案が早急に望まれている。
【先行技術文献】
【特許文献】
【０００８】
【特許文献１】特許第２６５４９０１号公報
【発明の概要】
【発明が解決しようとする課題】
【０００９】
本発明は、上記事情に鑑みて成されたものであり、煩わしい手間を掛けずに、簡単にマスクを作ることを可能とした技術を提供することを目的とする。
【課題を解決するための手段】
【００１０】
本発明の請求項１に係る係止ストッパーは、第１ヒンジ部を介して互いに接続された第１止具片及び第２止具片によって形成される、被挟持物として紐状部材を挟持する第１挟持部と、第２ヒンジ部を介して互いに接続された前記第１止具片及び第３止具片によって形成される、被挟持物として平面状部材を挟持する第２挟持部と、からなる２つの挟持部を備え、前記第１止具片における同一の端縁部側に、前記第１ヒンジ部と前記第２ヒンジ部、及び前記第１挟持部への被挟持物の挿入を可能とする挿入口部、を設けたことを特徴とする。
【００１１】
本発明の請求項２に係る係止ストッパーは、請求項１に記載の係止ストッパーにおいて、  前記第２止具片は、前記第１ヒンジ部を境として前記第１止具片と対比したとき外側領域相当部がなく内側領域部を有するように形成され、前記第３止具片は、前記第２ヒンジ部を境として前記第１止具片と対比したとき内側領域相当部がなく外側領域部を有するように形成され、前記第２止具片と前記第３止具片は、同一平面上において隙間を介して位置することが可能であることを特徴とする。
【００１２】
本発明の請求項３に係る係止ストッパーは、請求項１又は２に記載の係止ストッパーにおいて、前記第１止具片及び前記第３止具片は、互いに係合して固定されることで前記第２挟持部での係止状態を維持することが出来る係止部及び被係止部の係合解除を行う操作片をそれぞれ備え、前記操作片は、前記第２ヒンジ部の曲折によって前記第１止具片と前記第３止具片とが合わさる前記係止状態において、互いに重なり合うことのない位置に隣接して設けられていることを特徴とする。
【００１３】
本発明の請求項４に係る係止ストッパーは、請求項１乃至３の何れか１項に記載の係止ストッパーにおいて、前記第１止具片と、前記第２止具片と、前記第３止具片は、合成樹脂により一体成形されていることを特徴とする。
【００１４】
本発明の請求項５に係る耳かけホルダーは、前記請求項１乃至４の何れか１項に記載の係止ストッパーが二つと、紐体とから構成され、一方の係止ストッパーは、その挿入口部より挿入された前記紐体の一端側の抜止めを、前記第１ヒンジ部の曲折による前記第１止具片と前記第２止具片とを合わせた前記第１挟持部の挟持によって施し、他方の係止ストッパーは、その挿入口部より挿入された前記紐体の他端側の抜止めを、前記第１ヒンジ部の曲折による前記第１止具片と前記第２止具片とを合わせた前記第１挟持部の挟持によって施し、前記紐体の一端側と他端側とに前記係止ストッパーをそれぞれ取り付け一体としたことを特徴とする。
【発明の効果】
【００１５】
本発明の係止ストッパーは、第１挟持部を構成する第１止具片及び第２止具片を互いに接続する第１ヒンジ部と、第２挟持部を構成する第１止具片及び第３止具片を互いに接続する第２ヒンジ部と、第１挟持部への被挟持物の挿入を可能とする挿入口部とが、第１止具片における同一の端縁部側に設けられたものとなっている。ゆえに、第１挟持部が開いた側からの被挟持物の挿入方向とは異なった、対向する第１ヒンジ部側からの被挟持物の挿入が可能となり、第１挟持部によって紐状部材を挟持し、第２挟持部によって平面状部材を挟持することで、形状の異なる二つの部材同士を互いに連結することができる。また、挿入口部から挿入される紐状部材に対する取り付け領域である第１挟持部と、平面状部材に対する取り付け領域である第２挟持部とが、平面的に重なって形成されたものとすることができるので、小型化を図ることができる。
【００１６】
本発明の耳かけホルダーは、二つ係止ストッパーと紐体とから構成され、それぞれの係止ストッパーにおける第１挟持部によって、その挿入口部より挿入された紐体の一端側の抜止めと、紐体の他端側の抜止めを施し、紐体の一端側と他端側とに係止ストッパーをそれぞれ取り付け一体としたものとなっている。ゆえに、それぞれの係止ストッパーにおける第２挟持部で平面状部材をそれぞれ挟持することで、平面状部材の一端縁側に、紐体によって形成された耳に掛けることができる環状部位を形成することができる。しかも、係止ストッパーは、平面的に小型化が図られたものとなるので、簡易マスクの装着時に、目立って見栄えを損なうことなく、かつ、頬に触れても違和感が少ないものとすることができる。
【００１７】
したがって、本発明の係止ストッパーにより、縫い付け作業といった煩わしい手間を掛けずに、紐部材と平面状部材とを簡単に接続することができる。また、一度接続された紐部材や平面状部材であっても、必要に応じて容易にその交換を行うこともできる。
一方、この係止ストッパーを用いた耳かけホルダーにより、口や鼻の覆い状態を維持することを可能とする簡単にマスクを容易に作ることができる。
【図面の簡単な説明】
【００１８】
【図１】本発明に係る係止ストッパーを示す斜視図である。
【図２】本発明に係る係止ストッパーの展開状態を示す（Ａ）一面側平面図、（Ｂ）他面側平面図である。
【図３】本発明に係る係止ストッパーの構造を説明する（Ａ）展開状態の一面側平面模式図、（Ｂ）Ｉ−Ｉ線に沿う断面模式図、（Ｃ）ＩＩ−ＩＩ線に沿う断面模式図である。
【図４】本発明に係る係止ストッパーの第２止具片と第３止具片の曲折方向を示す側面模式図。
【図５】本発明に係る係止ストッパーの曲折状態を示す（Ａ）一面側平面図、（Ｂ）他面側平面図である。
【図６】本発明に係る係止ストッパーの第１挟持部によって紐状部材を挟持する方法を説明する側面模式図である。
【図７】本発明に係る係止ストッパーを用いて構成した耳かけホルダーを示す平面図である。
【図８】本発明に係る係止ストッパーの第２挟持部によって平面状部材を挟持する方法を説明する側面模式図である。
【図９】本発明に係る耳かけホルダーを用いて作製した簡易マスクを示す正面図である。
【図１０】本発明に係る係止ストッパーの第２止具片と第３止具片の他の曲折方向を示す側面模式図。
【発明を実施するための形態】
【００１９】
以下、本発明の係止ストッパーと、この係止ストッパーを用いた耳かけホルダーについて、この係止ストッパーを用いた耳かけホルダーによって簡易マスクを手作りする場合を例として、図面に基づき説明する。
本発明の係止ストッパーは、耳に掛けることのできる紐状部材を取り付けることができると共に、ティッシュペーバーやガーゼ（布）、不織布といった呼吸に支障のないシート部材に対して取り付けられる部材である。
また、本発明の耳かけホルダーは、この係止ストッパーが取り付けられたシート部材によって口や鼻部分を覆うことを可能とする補助具である。
【００２０】
図１及び図２に示すように、本実施の形態に係る係止ストッパー５０は、第１止具片としてのベース部１と、第２止具片としての紐体押え部２と、第３止具片としてのマスク用紙片押え部３とから構成されている。
【００２１】
ベース部１は、その一端縁部１ａに設けられた第１ヒンジ部５を介して紐体押え部２と接続され、紐体を固定する挟持部としての第１挟持部１０を形成する。また、ベース部１は、その一端縁部１ａに設けられた第２ヒンジ部６を介してマスク用紙片押え部３と接続され、マスク用紙片を固定する挟持部としての第２挟持部２０を形成する。したがって、係止ストッパー５０は、第１挟持部１０と第２挟持部２０からなる２つの挟持部１０，２０を備える。
【００２２】
また、ベース部１は、第１挟持部１０において挟持される被挟持物（紐状部材）の配置を可能とする挿入口部７を一端縁部１ａ側に有する。この挿入口部７は、たとえば、ベース部１の一端縁部１ａを一部切欠することで形成することができる。
したがって、本発明の係止ストッパー５０は、ベース部１における同一の端縁部１ａ側に、第１ヒンジ部５と第２ヒンジ部６、及び挿入口部７が設けられたものとなっている。
【００２３】
図１及び図２において、第１ヒンジ部５は、ベース部１の一端縁部１ａにおける中央側域において間隔を有して二つ設けられており、紐体押え部２と接続されている。また、第２ヒンジ部６は、ベース部１の一端縁部１ａにおける外側域において第１ヒンジ部５を挟むように二つ設けられており、マスク用紙片押え部３と接続されている。
このように本実施の形態において、第１ヒンジ部５と第２ヒンジ部６は、ベース部１における同じ一端縁部１ａ側にそれぞれ設けられているので、紐体押え部２及びマスク用紙片押え部３は、隙間４を有することで互いに接触しないように独立して設けられる。
【００２４】
紐体押え部２及びマスク用紙片押え部３としては、たとえば、図３に示すように設けることができる。紐体押え部２は、第１ヒンジ部５を境としてベース部１と対比したとき、外側領域相当部βがなく内側領域相当部αを有するように形成される。一方、マスク用紙片押え部３は、第２ヒンジ部６を境としてベース部１と対比したとき内側領域相当部αがなく外側領域相当部βを有するように形成される。
図２及び図３において、隙間４は、紐体押え部２とマスク用紙片押え部３との間において、略Ｕ字状に形成されたものとなっている。
【００２５】
このように紐体押え部２及びマスク用紙片押え部３を内側領域相当部αと外側領域相当部βとに分けて形成することで、図２及び図３に示すように、第１ヒンジ部５及び第２ヒンジ部６は、略同一平面上において略直線状に各々位置することが可能となる。また、第１ヒンジ部５と第２ヒンジ部６とを、略同一平面上において略直線状に各々位置させることで、各ヒンジ部の曲折状態において、厚さが薄く、長さも短く、立体的にも平面的にも小型化されたものとすることができる。
【００２６】
なお、本発明は、第１ヒンジ部５と第２ヒンジ部６がベース部１における同じ一端縁部１ａにそれぞれ設けられていることを一つの特徴とするものであって、略同一平面上において略直線状に各々位置することに制限されるものではない。したがって、第１ヒンジ部５と第２ヒンジ部６は、ベース部１における同じ一端縁部１ａ側であれば、立面的に段差を有して各々位置するものであっても良いし、平面的に位置ずれして各々位置するものであっても良い。
【００２７】
紐体押え部２及びマスク用紙片押え部３は、第１ヒンジ部５と第２ヒンジ部６がベース部１における同じ一端縁部１ａ側において略同一平面上にそれぞれ設けられることから、同一平面上において隙間４を介して重なるように位置することが可能となる。このように紐体押え部２とマスク用紙片押え部３とが、略同一平面上に配置されることで、立面的に薄型となると共に、平面的にも小型になる。
【００２８】
本実施の形態において、ベース部１と紐体押え部２は、図４に示すように、ベース部１の一面１Ａ側と紐体押え部２の一面２Ａ側とが合わさるように曲折する第１ヒンジ部５を介して連設されている。また、ベース部１とマスク用紙片押え部３は、図４に示すように、ベース部１の他面１Ｂ側とマスク用紙片押え部３の一面３Ａ側とが合わさるように曲折する第２ヒンジ部６を介して連設されている。ゆえに、第１ヒンジ部５と第２ヒンジ部６は、互いに異なる向きに曲折する。このように第１ヒンジ部５と第２ヒンジ部６とが異なる向きへ曲折することで、紐体押え部２又はマスク用紙片押え部３の操作に支障をきたす虞を回避することができる。
【００２９】
また、図２に示すように、ベース部１は、紐状部材挿入受け面１５（図２（Ａ）を参照）と、シート部材挿入受け面１７（図２（Ｂ）を参照）とを有する。
紐状部材挿入受け面１５は、ベース部１の一面１Ａ側に設けられており、この一面１Ａ側には刺しピン１４が複数突成されている。図２（Ａ）において刺しピン１４は、紐状部材挿入受け面１５の略中央部付近に３つ設けられている。一方、シート部材挿入受け面１７は、ベース部１の他面１Ｂ側に設けられており、この他面１Ｂにも刺しピン１６が複数突成されている。図２（Ｂ）において刺しピン１６は、シート部材挿入受け面１７の外側寄りに４つ（ベース部１の一面１Ａ側に設けられた紐状部材挿入受け面１５相当領域を挟むように２つずつ）設けられている。
【００３０】
また、ベース部１は、第１ヒンジ部５において曲折したとき、紐体押え部２を固定する紐体押え係止部１１を有する。図２において紐体押え係止部１１は、ベース部１の紐状部材挿入受け面１５における第１ヒンジ部５と対向する端部側付近（もしくは、シート部材挿入受け面１７における略中央部）に設けられた開口部として示されている。この紐体押え係止部（開口部）１１の縁部によって、後述する紐体押え部２のベース被係止部２１の先端部を係止することで、紐体押え部２の起立動作を制御するように両者を固定する。
【００３１】
また、ベース部１は、第２ヒンジ部６において曲折したとき、マスク用紙片押え部３を固定するマスク用紙片押え係止部１２と、マスク用紙片押え部３に固定されるマスク用紙片押え被係止部１３を有する。マスク用紙片押え係止部１２とマスク用紙片押え被係止部１３は、ベース部１の一端縁部１ａ以外の端縁部に設けられる。図２においてマスク用紙片押え係止部１２とマスク用紙片押え被係止部１３は、第２ヒンジ部６と対向する他端縁部側において平面的に隣接するように設けられている。このマスク用紙片押え係止部１２によって、後述するマスク用紙片押え部３のベース被係止部３３を係止すると共に、マスク用紙片押え被係止部１３が、後述するマスク用紙片押え部３のベース係止部３２に係止されることで、互いの起立動作が制御されるように両者を固定する。
【００３２】
さらに、ベース部１は、第２挟持部２０での係止状態を維持する、マスク用紙片押え係止部１２とベース被係止部３３、及びマスク用紙片押え被係止部１３とベース係止部３２によるそれぞれの係止状態の解除を行う操作片８を備える。
【００３３】
紐体押え部２は、紐状部材押え面２５を有する。この紐状部材押え面２５は、紐体押え部２の一面２Ａ側に設けられており、この一面２Ａ側には刺しピン２４が複数突成されている。図２（Ａ）において刺しピン２４は、ベース部１の一面１Ａ側に設けられた刺しピン１４と対向しないように、紐状部材押え面２５における略中央部付近に２つ設けられている。
【００３４】
また、紐体押え部２は、第１ヒンジ部５において曲折したとき、ベース部１の紐体押え係止部１１に固定されるベース被係止部２１を有する。図２（Ａ）においてベース被係止部２１は、紐体押え部２において第１ヒンジ部５と対向する端部付近に突出して設けられた鉤状片部として示されている。そして、図５に示すように、ベース被係止部（鉤状片部）２１の先端部２１ａが、ベース部１の紐体押え係止部１１における開口縁部１１ａに係止することで、紐体押え部２の起立が制御されるように両者を固定する。
【００３５】
したがって、ベース部１と紐体押え部２とは、ベース部１の一面側に設けられた紐状部材挿入受け面１５と、紐体押え部２の一面側に設けられた紐状部材押え面２５とが互いに合わさるように曲折可能に、第１ヒンジ部５を介して連設されている。そして、紐状部材挿入受け面１５と紐状部材押え面２５とが合わさることにより、ベース部１の刺しピン１４と紐体押え部２の刺しピン２４とが協働して被挟持物（紐状部材）を挟み込んで保持する。
【００３６】
マスク用紙片押え部３は、シート部材押え面３７を有する。このシート部材押え面３７は、マスク用紙片押え部３の一面側に設けられており、この一面側には刺しピン３６が複数突成されている。図２（Ｂ）において刺しピン３６は、ベース部１の他面側１Ｂに設けられた刺しピン１６と対向しないように、シート部材押え面３７の外側寄りに３つ設けられている。
【００３７】
また、マスク用紙片押え部３は、第２ヒンジ部６において曲折したとき、ベース部１のマスク用紙片押え係止部１２に係止されるベース被係止部３３と、ベース部１のマスク用紙片押え被係止部１３を係止するベース係止部３２を有する。図２（Ｂ）においてベース係止部３２とベース被係止部３３は、第２ヒンジ部６第２ヒンジ部６と対向する他端縁部側において平面的に隣接するように設けられている。そして、図５に示すように、ベース係止部３２によって、ベース部１のマスク用紙片押え被係止部１３を係止すると共に、ベース被係止部３３が、ベース部１のマスク用紙片押え係止部１２に係止されることで、互いの起立が制御されるように両者を固定する。
【００３８】
したがって、ベース部１とマスク用紙片押え部３とは、ベース部１の他面側に設けられたシート部材挿入受け面１７と、マスク用紙片押え部３の一面側に設けられたシート部材押え面３７とが互いに合わさるように曲折可能に、第２ヒンジ部６を介して連設されている。そして、シート部材挿入受け面１７とシート部材押え面３７とが合わさることにより、ベース部１の刺しピン１６とマスク用紙片押え部３の刺しピン３６とが協働して被挟持物（マスク用紙片部材）を挟み込んで保持する。
【００３９】
また、マスク用紙片押え部３は、第２挟持部２０での係止状態を維持する、マスク用紙片押え係止部１２とベース被係止部３３、及びマスク用紙片押え被係止部１３とベース係止部３２によるそれぞれの係止状態の解除を行う操作片９を備える。
【００４０】
図５に示すように、ベース部１に設けられた操作片８と、マスク用紙片押え部３に設けられた操作片９は、マスク用紙片押え係止部１２とベース被係止部３３、及びマスク用紙片押え被係止部１３とベース係止部３２のそれぞれの係止状態において、互いに重なり合うことのない位置にそれぞれ設けられている。このように操作片８と操作片９が、互いに重なり合うことのない位置にそれぞれ設けられることで、一方の操作片に親指を添え、他方の操作片に人差し指を添えて交差するように捻ることで、容易に係止状態の解除が行える。しかも、止状態の解除が容易に行えることから、被挟持物の取り付け又は交換に手間が掛からないものとすることができる。
【００４１】
本実施の形態に係る係止ストッパー５０は、上述したように、ベース部１と紐体押え部２とマスク用紙片押え部３とを、略同一平面上に位置させることができるものであるので、これらを合成樹脂により一体成形させたものとすることができる。このように合成樹脂により一体成形することで、効率良く量産することが可能となる。
なお、本発明は、ベース部１と紐体押え部２とマスク用紙片押え部３とを合成樹脂により一体成形したものに限定されない。したがって、ベース部１と紐体押え部２とマスク用紙片押え部３とをそれぞれ別々に成形し、その後、これらを組み合わせて一体としたものとしても良い。また、ベース部１と紐体押え部２とを一体成形させたものとし、その後、マスク用紙片押え部３を組み合わせて一体としても良いし、又はベース部１とマスク用紙片押え部３とを一体成形させたものとし、その後、紐体押え部２を組み合わせて一体としても良いし、もしくは紐体押え部２とマスク用紙片押え部３とを一体成形させたものとし、その後、ベース部１を組み合わせて一体としても良い。
【００４２】
次に、以上のような構造を有する係止ストッパーを用いて、本発明の耳かけホルダーを作製する手順を説明する。
耳かけホルダーは、二つの係止ストッパーと、紐部材とを用いる。この紐部材は、ゴムなどの伸縮性を有する素材を用いると望ましい。
【００４３】
図６に示すように、まず、第１の係止ストッパー５０における第１挟持部１０が開いた状態で、第１ヒンジ部５側に設けられた挿入口部７より紐部材６０の一方の先端部を挿入し、紐状部材挿入受け面１５上に配置する。次いで、紐体押え部２をベース部１に向かって倒して両者を合わせることで第１挟持部１０を閉じ、ベース部１の刺しピン１４と紐体押え部２の刺しピン２４とが協働して紐部材６０の一方の先端部を挟み込んで保持する。
【００４４】
また、上記と同様にして、第２の係止ストッパー５０における第１挟持部１０が開いた状態で、第１ヒンジ部５側に設けられた挿入口部７より紐部材６０の他方の先端部を挿入し、紐状部材挿入受け面１５上に配置した後、紐体押え部２をベース部１に向かって倒して両者を合わせることで第１挟持部１０を閉じ、ベース部１の刺しピン１４と紐体押え部２の刺しピン２４とが協働して紐部材６０の一方の先端部を挟み込んで保持する。
【００４５】
そうすると、図７に示すように、紐部材６０の一方の端部に第１の係止ストッパー５０Ａ（５０）が取り付けられ、紐部材６０の他方の端部に第２の係止ストッパー５０Ｂ（５０）が取り付けられた、本発明の耳かけホルダー１００を作製することができる。
【００４６】
次に、以上のような構造を有する耳かけホルダーを用いて、簡易マスクを作製する手順を説明する。
簡易マスクは、二つの耳かけホルダーと、矩形状のマスク用紙片とを用いる。このマスク用紙片は、ティッシュペーパーなどのように呼吸に支障のない柔軟な素材を用いると望ましい。
【００４７】
図８に示すように、まず、第１の耳かけホルダー１００における第１の係止ストッパー５０Ａの第２挟持部２０を開き、マスク用紙片７０の一方の端縁部における一方の角部付近に、第１の係止ストッパー５０Ａのシート部材挿入受け面１７を配置する。次いで、マスク用紙片押え部３をベース部１に向かって倒して両者を合わせることで第２挟持部２０を閉じる。これにより、ベース部１の刺しピン１６とマスク用紙片押え部３の刺しピン３６とが協働してマスク用紙片７０の端縁部の一方の角部付近を挟み込んで保持する。
【００４８】
また、上記と同様にして、第１の耳かけホルダー１００における第２の係止ストッパー５０Ｂの第２挟持部２０を開き、第１の係止ストッパー５０Ａとは間隔を開けるようにマスク用紙片７０の一方の端縁部における他方の角部付近に、第２の係止ストッパー５０Ｂのシート部材挿入受け面１７を配置した後、マスク用紙片押え部３をベース部１に向かって倒して両者を合わせることで第２挟持部２０を閉じる。これにより、ベース部１の刺しピン１６とマスク用紙片押え部３の刺しピン３６とが協働してマスク用紙片７０の端縁部の他方の角部付近を挟み込んで保持する。
【００４９】
また、第１の耳かけホルダー１００と同様にして、第２の耳かけホルダー１００における第１の係止ストッパー５０Ａの第２挟持部２０を開き、マスク用紙片７０の他方の端縁部における一方の角部付近に、第１の係止ストッパー５０Ａのシート部材挿入受け面１７を配置した後、マスク用紙片押え部３をベース部１に向かって倒して両者を合わせることで第２挟持部２０を閉じる。これにより、ベース部１の刺しピン１６とマスク用紙片押え部３の刺しピン３６とが協働してマスク用紙片７０の端縁部の一方の角部付近を挟み込んで保持する。
【００５０】
また、第２の耳かけホルダー１００における第２の係止ストッパー５０Ｂの第２挟持部２０を開き、第１の係止ストッパー５０Ａとは間隔を開けるようにマスク用紙片７０の他方の端縁部における他方の角部付近に、第２の係止ストッパー５０Ｂのシート部材挿入受け面１７を配置した後、マスク用紙片押え部３をベース部１に向かって倒して両者を合わせることで第２挟持部２０を閉じる。これにより、ベース部１の刺しピン１６とマスク用紙片押え部３の刺しピン３６とが協働してマスク用紙片７０の端縁部の他方の角部付近を挟み込んで保持する。
【００５１】
そうすると、図９に示すように、マスク用紙片７０の一方の端縁部に第１の耳かけホルダー１００Ａ（１００）が取り付けられ、マスク用紙片７０の他方の端縁部に第２の耳かけホルダー１００Ｂ（１００）が取り付けられた、簡易マスクＭを作製することができる。
【００５２】
以上のような構造を有する係止ストッパー５０は、第１挟持部１０によって紐状部材６０を挟持し、第２挟持部２０によって平面状部材７０を挟持することで、形状の異なる二つの部材同士を互いに連結することができる。
したがって、縫い付け作業といった煩わしい手間を掛けずに簡単に簡易マスクＭを作ることが可能となる。
【００５３】
そして、簡易マスクＭの使用によってマスク用紙片７０が汚れた場合は、係止ストッパー５０における一方の操作片８（９）に親指を添えると共に、他方の操作片９（８）に人差し指を添えて、互いの指を交差するように捻ることで、容易にベース部１とマスク用紙片押え部３との係止状態の解除が行える。ゆえに、容易にマスク用紙片７０の交換作業を行うことができる。
【００５４】
また、簡易マスクＭの使用によって紐部材６０が破損等した場合は、ベース部１の他面１Ｂ側よりベース被係止部（鉤状片部）２１の先端部２１ａを尖った部材で押圧することで、簡単にベース部１と紐体押え部２との係止状態の解除が行える。ゆえに、容易に紐部材６０の交換作業を行うことができる。
【００５５】
なお、上記実施に形態においては、第１ヒンジ部５と第２ヒンジ部６とが、互いに異なる向きに曲折する場合について説明したが、本発明はこれに限定されない。
したがって、たとえば、図１０に示すように、ベース部１の一面１Ａ側と紐体押え部２の一面２Ａ側とが合わさるように曲折する第１ヒンジ部５を介して連設されていると共に、ベース部１の一面１Ａ側とマスク用紙片押え部３の一面３Ａ側とが合わさるように曲折する第２ヒンジ部６を介して連設されているものとしても良い。このように、第１ヒンジ部５と第２ヒンジ部６とが、互いに同じ向きに曲折することで、一段と平面的に小型化されたものとすることができる。
【産業上の利用可能性】
【００５６】
本発明は、二つの部材同士を互いに連結することが出来る係止ストッパーを扱う業種において産業上有用であり、特に、紐状部材と平面状部材とを容易に連結可能することで簡易マスクを簡単に作製可能とする補助具（部材）の市場において有用である。
【符号の説明】
【００５７】
Ｍ  簡易マスク、１  ベース部（第１止具片）、１ａ  端縁部、２  紐体押え部（第２止具片）、３  マスク用紙片押え部（第３止具片）、４  隙間、５  第１ヒンジ部、６  第２ヒンジ部、７  挿入口部、８，９  操作部、１０  第１挟持部、２０  第２挟持部、５０（５０Ａ，５０Ｂ）  係止ストッパー、６０  紐部材、７０  マスク用紙片、１００（１００Ａ，１００Ｂ）  耳かけホルダー。
【図１】
2011083409.tif 000003
【図２】
2011083409.tif 000004
【図３】
2011083409.tif 000005
【図４】
2011083409.tif 000006
【図５】
2011083409.tif 000007
【図６】
2011083409.tif 000008
【図７】
2011083409.tif 000009
【図８】
2011083409.tif 000010
【図９】
2011083409.tif 000011
【図１０】
2011083409.tif 000012